Podtech/llm-jp-corpus-v4-ja_patent huggingface dataset:
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
カーゴペプチド-担体タンパク質複合体を含有するサンプルからカーゴペプチドを単離する方法であって、下記の工程、
カーゴペプチド-担体タンパク質複合体を含むサンプルを、前記担体タンパク質に対して選択性の結合性成分と、前記担体タンパク質が前記結合性成分と非共有結合し且つ前記結合性成分が支持体に結合する条件下で接触させる工程、
前記カーゴペプチドを、前記カーゴペプチド-担体タンパク質複合体から、前記担体タンパク質が前記結合性成分と結合したままで解離させる工程、及び、
前記カーゴペプチドを収集し、それによって前記カーゴペプチドを前記サンプルから分離する工程、
を含むことを特徴とする方法。
【請求項２】
前記結合性成分が、イオン交換成分である、請求項１記載の方法。
【請求項３】
前記イオン交換成分が、アニオン交換成分である、請求項２記載の方法。
【請求項４】
前記アニオン交換成分が、ジエチルアミノエチル成分、ジエチルメチルアミノエチル成分、ジエチル-[2-ヒドロキシプロピル]アミノエチル成分、アリルアミン成分及び第四級アンモニウム成分から選択ばれた成分を含む、請求項３記載の方法。
【請求項５】
前記アニオン交換成分が、第四級アンモニウム成分を含む、請求項４記載の方法。
【請求項６】
前記イオン交換成分が、カチオン交換成分である、請求項２記載の方法。
【請求項７】
カチオン交換成分を、スルホン酸成分、スルホプロピル成分、メチルスルホネート成分、カルボキシメチル成分及びリン酸塩成分の群から選択する、請求項６記載の方法。
【請求項８】
前記支持体を、膜、ゲル、粒子、表面及びマトリックスから選択する、請求項１記載の方法。
【請求項９】
前記サンプルが、サンプル負荷溶液を更に含む、請求項１記載の方法。
【請求項１０】
前記解離が、前記カーゴペプチド-担体タンパク質複合体を溶出溶液と接触させることを含む、請求項１記載の方法。
【請求項１１】
前記溶出溶液が、前記サンプルのpHよりも高いpHを有する、請求項１０記載の方法。
【請求項１２】
前記溶出溶液が、アルカリ種を含む、請求項１１記載の方法。
【請求項１３】
前記アルカリ種を、水酸化アンモニウム、水酸化ナトリウム、水酸化バリウム、トリエチルアンモニウム塩、炭酸ナトリウム及び炭酸カリウムの群から選択する、請求項１２記載の方法。
【請求項１４】
前記溶出溶液が、前記サンプルのpHよりも低いpHを有する、請求項１０記載の方法。
【請求項１５】
前記担体タンパク質が、血清タンパク質である、請求項１記載の方法。
【請求項１６】
前記担体タンパク質を、血清アルブミン、フィブロネクチン、トランスフェリン、イムノグロブリン、タム・ホースフォール糖タンパク質、フィブリノゲン、アルファ2-マクログロブリン、補体タンパク質、セルピン、ハプトグロビン、アルファ1-酸糖タンパク質及びセルロプラスミンから選択する、請求項１記載の方法。
【請求項１７】
前記サンプルが、体液を含む、請求項１記載の方法。
【請求項１８】
前記サンプルが、血漿又は血清を含む、請求項１７記載の方法。
【請求項１９】
カーゴペプチド-担体タンパク質複合体を含有するサンプルから複数のカーゴペプチドを分離する方法であって、下記の工程、
カーゴペプチド-担体タンパク質複合体を含むサンプルを、少なくとも１種の担体タンパク質に対し選択性の結合性成分と、前記少なくとも１種の担体タンパク質が結合性成分に非共有結合し且つ前記結合性成分を支持体に結合させる条件下に接触させる工程、
前記複数のカーゴペプチドを、カーゴペプチド担体タンパク質複合体から、前記担体タンパク質が前記結合性成分に結合したままで解離させる工程、及び、
前記複数のカーゴペプチドを収集し、それによって前記複数のカーゴペプチドを前記サンプルから分離する工程、
を含むことを特徴とする方法。
【請求項２０】
バイオマーカープロフィールの同定方法であって、下記の工程、
カーゴペプチド-担体タンパク質複合体を含むサンプルを、少なくとも１種の担体タンパク質に対し選択性の結合性成分と、前記少なくとも１種の担体タンパク質が結合性成分に非共有結合し且つ前記結合性成分を支持体に結合させる条件下に接触させる工程、
前記カーゴペプチド類を、カーゴペプチド担体タンパク質複合体から、前記担体タンパク質が前記結合性成分に結合したままで解離させる工程、
前記カーゴペプチド類を収集し、それによって前記カーゴペプチドを前記サンプルから分離する工程、及び、
分離したペプチド類の質量スペクトルを測定し、該質量スペクトルに示されたペプチドをバイオマーカープロフィールとして同定する工程、
を含むことを特徴とする方法。
【請求項２１】
同定したバイオマーカープロフィールを対照バイオマーカープロフィールと比較することを更に含む、請求項２０記載の方法。
【請求項２２】
血清サンプルからの複数のカーゴペプチドを分離する方法であって、下記の工程、
カーゴペプチド-担体タンパク質複合体を含有する血清サンプルを、少なくとも１種の担体タンパク質に対して選択性のアニオン交換成分と、前記少なくとも１種の担体タンパク質が前記アニオン交換成分と非共有結合し且つ前記アニオン交換成分を支持体に結合させる条件下に接触させる工程、
前記カーゴペプチド-担体タンパク質複合体を前記サンプルのpHよりも高いpHを有する溶出溶液と接触させ、それによって前記複数のカーゴペプチドを前記カーゴペプチド-担体タンパク質複合体から解離させ且つ前記担体タンパク質は前記アニオン交換成分に結合したままである工程、及び、
前記複数のカーゴペプチド類を収集し、それによって前記複数のカーゴペプチドを前記血清サンプルから分離する工程、
を含むことを特徴とする方法。
【請求項２３】
市販用パッケージであって、下記の要素、
担体タンパク質に対し選択性の結合性成分を含むイオン交換支持体、及び、
カーゴペプチドをカーゴペプチド担体タンパク質複合体から解離させ且つ前記担体タンパク質と前記結合性成分の結合を維持する溶出溶液、
を含むことを特徴とする市販用パッケージ。
【請求項２４】
市販用パッケージであって、下記の要素、
アニオン交換支持体、
サンプル負荷溶液、及び、
前記サンプル負荷溶液のpHよりも高いpHを有し、ペプチドをカーゴペプチド-担体タンパク質複合体から解離させ且つ前記担体タンパク質と結合性成分との結合を維持し得る溶出溶液、
を含有することを特徴とする市販用パッケージ。
【請求項２５】
市販用パッケージであって、下記要素、
カチオン交換支持体、
サンプル負荷溶液、及び、
サンプル負荷溶液のpHよりも低いpHを有し、ペプチドをカーゴペプチド-担体タンパク質複合体から解離させ且つ前記担体タンパク質と結合性成分との結合を維持し得る溶出溶液、
を含有することを特徴とする市販用パッケージ。
【請求項２６】
使用説明書を更に含む、請求項２３記載の市販用パッケージ。
【請求項２７】
第四級アンモニウムアニオン交換支持体と、約9〜11のpHを有する溶出溶液を含む、市販用パッケージ。
【請求項２８】
前記溶出溶液が、約10のpHを有する、請求項２７記載の市販用パッケージ。
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
圧縮性のリン酸三カルシウム集塊であって、以下：
リン酸三カルシウム粒子、その各々は外層を含み、及び
リン酸三カルシウム粒子の少なくとも1部分の外層の少なくとも1部分上に支持された、ポリビニルピロリドン、カラゲナン又はグアールガムを含む結合剤
を含む、前記集塊。
【請求項２】
前記結合剤が、30,000以上の平均分子量数を有するポリビニルピロリドンを含む、請求項１記載の集塊。
【請求項３】
前記結合剤が、グアールガム、修飾グアールガム又はそれらの組合せを含む、請求項１記載の集塊。
【請求項４】
100 pbwの集塊基準で、90〜99 pbwのリン酸三カルシウム及び1〜10 pbwの結合剤を含む、請求項１記載の集塊。
【請求項５】
前記粒子の65重量%以下が325メッシュより大きな粒子サイズを有し、かつ前記粒子の10重量%以下が60メッシュ未満の粒子サイズを有する粒子分配を示す粒子形態である、請求項１記載の集塊。
【請求項６】
圧縮性リン酸三カルシウム集塊の製造法であって、リン酸三カルシウム及びポリビニルピロリドン、カラゲナン又はグアールガムを含む結合剤の水溶液を噴霧乾燥するステップを含む、前記方法。
【請求項７】
直接圧縮性カルシウム栄養補助食品組成物であって、当該組成物の100パーツ・パー・ウェイト（「pbw」）基準で、以下：
リン酸三カルシウム粒子を含む20〜80 pbwの集塊、当該粒子の各々は外層を含み；
リン酸三カルシウム粒子の少なくとも1部分の外層の少なくとも1部分上に支持された、ポリビニルピロリドン、カラゲナン又はグアールガムを含む結合剤；
79〜10 pbwの、前記集塊以外の1以上のカルシウム含有材料の粒子；
0.5〜8 pbwの崩壊剤；及び
0.5〜2 pbwの滑剤
を含む、前記組成物。
【請求項８】
前記の集塊以外の1以上のカルシウム含有材料の粒子が、カルシウムキレート、カルシウム塩及びそれらの組合せから選ばれる、請求項７記載の組成物。
【請求項９】
前記の集塊以外の1以上のカルシウム含有材料の粒子が、粒子の15重量%以下が40メッシュより大きな粒子サイズを有し、かつ粒子の5重量%以下が325メッシュ未満の粒子サイズを有する粒子サイズ分配を示すリン酸三カルシウム粒子を含む、請求項７記載の組成物。
【請求項１０】
前記滑剤が、脂肪酸、水素化植物油、脂肪酸のトリグリセリド、脂肪酸の金属塩、グリコール、タルク及びそれらの組合せから選択される、請求項７記載の組成物。
【請求項１１】
前記崩壊剤が、カルボキシメチルセルロースナトリウム、デンプン、微結晶性セルロース、大豆タンパク質、アルギン酸、架橋ポリビニルピロリドン、架橋カルボキシメチルセルロースナトリウム及びこれらの混合物から選ばれる、請求項７記載の組成物。
【請求項１２】
請求項７記載の直接圧縮性カルシウム栄養補助食品を含む、カルシウム栄養補助食品組成物の経口投薬形態の製造法。
【請求項１３】
請求項７記載の組成物を圧縮することによって製造される、カルシウム栄養補助食品組成物の経口投薬形態。
【請求項１４】
10キロポンド以上の硬度を示す、請求項１３記載の経口投薬形態。
【請求項１５】
15キロポンド以上の硬度を示す、請求項１３記載の経口投薬形態。
【請求項１６】
1%未満の破砕性を示す、請求項１３記載の経口投薬形態。
【請求項１７】
90秒未満の、米国薬局方試験法番号701（USP 26）に従って測定される崩壊時間を示す、請求項１３記載の経口投薬形態。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
生物学的要因と関連する生物学的状態を治療するために少なくとも1つの生物学的要因を調節するため、および該生物学的状態と診断された患者に投与するための組成物であって、有効量のシステアミン化合物を含み、ここで、前記生物学的要因と関連する生物学的状態が、高コレステロール血症、高脂血症、高インスリン血症、血糖異常、高尿酸血症、高トリグリセリド濃度、肥満、心血管疾患、高血圧、高血糖、グルコース不耐性、低密度および高密度リポタンパク質濃度、1型および2型糖尿病、動脈硬化症、アテローム性動脈硬化症、脳血管血栓症、脳血管出血、脳卒中、アンギナ、冠状動脈血栓症、冠状動脈性心疾患、間欠性跛行、ならびに四肢の虚血からなる群より選択される少なくとも1つである、組成物。
【請求項２】
生物学的要因が、グルコース輸送体発現、インシュリン様成長因子、C-ペプチド濃度、血中尿酸濃度、微量アルブミン濃度、アディポネクチン濃度、インシュリン濃度、グルコース濃度、血糖値、遊離脂肪酸濃度、トリグリセリド濃度、高密度リポタンパク質濃度、および低密度リポタンパク質濃度からなる群より選択される少なくとも1つである、請求項1記載の組成物。
【請求項３】
生物学的状態が高コレステロール血症または高脂血症であり、システアミン化合物の有効量が約1.0mg〜約300mg/kg体重/日または等モル量である、請求項１記載の組成物。
【請求項４】
システアミン化合物が塩酸システアミンである、請求項３記載の組成物。
【請求項５】
システアミン化合物と同時に投与するための他の公知のコレステロール低下剤をさらに含む、請求項３記載の組成物。
【請求項６】
他の公知の薬剤が、ラボスタチン、プラバスタチン、シンバスタチン、フルバスタチン、アトルバスタチン、胆汁酸樹脂、ニコチン酸、ナイアシン、およびフィブラートからなる群より選択される、請求項５記載の組成物。
【請求項７】
システアミン化合物と同時に投与するための、糖尿病を治療するのに用いられる他の公知の薬剤をさらに含む、請求項１記載の組成物。
【請求項８】
他の公知の薬剤が、インシュリン、スルホニル尿素、ビグアニド、α-グルコシダーゼ阻害剤、チアゾリジンジオン、メグリチニド、およびD-フェニルアラニンからなる群より選択される、請求項７記載の組成物。
【請求項９】
投与用の固体型システアミン化合物を提供するために、包接化合物ホスト材料中にシステアミン化合物を含む、請求項1記載の組成物。
【請求項１０】
包接化合物ホスト材料が、タンパク質、クラウンエーテル、ポリオキシアルキレン、ポリシロキサン、ゼオライト、コレスチラミン、コレスチポール、コレセベラム、コレスチミド、セベラマー、セルロース誘導体、デキストラン誘導体、デンプン、デンプン誘導体、およびその薬学的に許容される塩からなる群より選択される、請求項９記載の組成物。
【請求項１１】
包接化合物ホスト材料が、システアミン化合物の小さな顆粒を形成するためのシクロデキストリンを含む、請求項１０記載の組成物。
【請求項１２】
顆粒の大きさが約0.28〜0.90mmの直径を有する、請求項１１記載の組成物。
【請求項１３】
シクロデキストリンがシクロデキストリングリコシドトランスフェラーゼであり、前記組成物が、バチルス属(Bacillus)の存在下でシクロデキストリングリコシドトランスフェラーゼとグルコース分子を反応させる工程により調製される、請求項１１記載の組成物。
【請求項１４】
前記組成物が、システアミン化合物を撹拌機に添加する工程、包接ホスト材料を撹拌機に添加する工程、混合物を加熱して固体生成物を形成する工程、および固体生成物を真空乾燥させる工程を含む方法により調製される、請求項１１記載の組成物。
【請求項１５】
前記方法が、固体生成物の腸溶コーティングを行う工程をさらに含む、請求項１４記載の組成物。
【請求項１６】
システアミン化合物および包接化合物ホスト材料を含む、組成物。
【請求項１７】
約1〜95％wtのシステアミン化合物を含む、請求項１６記載の組成物。
【請求項１８】
包接化合物ホスト材料がシクロデキストリンまたはその誘導体である、請求項１６記載の組成物。
【請求項１９】
包接化合物ホスト材料が、メチルβ-シコルデキストリン(cycoldextrin)(M-β-CD)、ヒドロプロピルβ-シコルデキストリン(HP-β-CD)、ヒドロエチルβ-シコルデキストリン(HE-β-CD)、ポリシクロデキストリン、エチルβ-シクロデキストリン(E-β-CD)、および分枝シコルデキストリンからなる群より選択される、請求項１８記載の組成物。
【請求項２０】
組成物が、直径を有する小さな顆粒の形で調製される、請求項１６記載の組成物。
【請求項２１】
小さな顆粒の直径が実質的に0.28〜0.90mmである、請求項２０記載の組成物。
【請求項２２】
システアミン化合物が塩酸システアミンであり、包接化合物ホスト材料がシクロデキストリンである、請求項１６記載の組成物。
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
２θに関して特徴的なピークを約１７．７°および約１９．１°で含む粉末Ｘ線回折図形を有する、９−（Ｓ）−エリスロマイシラミンの結晶形態（形態Ａ）。
【請求項２】
前記粉末Ｘ線回折図形は、２θに関して、約８．８°、約１０．７°、約１１．４°、約１２．９°、約１４．１°、約１５．６°、約１６．２°、約１６．６°、約１７．７°、約１９．１°、約２０．３°、約２１．０°、約２１．９°、約２２．４°、約２４．０°、約２４．５°、約２４．８°および約２６．０°より選択される少なくとも５つの特徴的ピークを含む、請求項１に記載の結晶形態。
【請求項３】
実質的に図１に記載の粉末Ｘ線回折図形を有する、請求項１に記載の結晶形態。
【請求項４】
約１９０℃と２００℃との間の吸熱を示す示差走査熱測定トレースを有する、請求項１に記載の結晶形態。
【請求項５】
実質的に図２に記載の示差走査熱測定トレースを有する、請求項１に記載の結晶形態。
【請求項６】
請求項１に記載の結晶形態を含有する、組成物。
【請求項７】
前記組成物中の９−（Ｓ）−エリスロマイシラミン総量の少なくとも約５０重量％が、前記結晶形態で存在する、請求項６に記載の組成物。
【請求項８】
前記組成物中の９−（Ｓ）−エリスロマイシラミン総量の少なくとも約７０重量％が、前記結晶形態で存在する、請求項６に記載の組成物。
【請求項９】
前記組成物中の９−（Ｓ）−エリスロマイシラミン総量の少なくとも約８０重量％が、前記結晶形態で存在する、請求項６に記載の組成物。
【請求項１０】
前記組成物中の９−（Ｓ）−エリスロマイシラミン総量の少なくとも約９０重量％が、前記結晶形態で存在する、請求項６に記載の組成物。
【請求項１１】
前記組成物中の９−（Ｓ）−エリスロマイシラミン総量の少なくとも約９５重量％が、前記結晶形態で存在する、請求項６に記載の組成物。
【請求項１２】
前記組成物中の９−（Ｓ）−エリスロマイシラミン総量の少なくとも約９７重量％が、前記結晶形態で存在する、請求項６に記載の組成物。
【請求項１３】
前記組成物中の９−（Ｓ）−エリスロマイシラミン総量の少なくとも約９８重量％が、前記結晶形態で存在する、請求項６に記載の組成物。
【請求項１４】
前記組成物中のエリスロマイシラミン総量の少なくとも約９９重量％が、前記結晶形態で存在する、請求項６に記載の組成物。
【請求項１５】
薬学的に受容可能なキャリアをさらに含有する、請求項６に記載の組成物。
【請求項１６】
吸入に適している、請求項１５に記載の組成物。
【請求項１７】
本質的に９−（Ｓ）−エリスロマイシラミンからなる組成物であって、該９−（Ｓ）−エリスロマイシラミンの少なくとも約９５重量％が請求項１に記載の結晶形態で該組成物中に存在する、組成物。
【請求項１８】
前記９−（Ｓ）−エリスロマイシラミンの少なくとも約９７重量％が請求項１に記載の結晶形態で前記組成物中に存在する、請求項１７に記載の組成物。
【請求項１９】
前記９−（Ｓ）−エリスロマイシラミンの少なくとも約９８重量％が請求項１に記載の結晶形態で前記組成物中に存在する、請求項１７に記載の組成物。
【請求項２０】
前記９−（Ｓ）−エリスロマイシラミンの少なくとも約９９重量％が請求項１に記載の結晶形態で前記組成物中に存在する、請求項１７に記載の組成物。
【請求項２１】
請求項１に記載の結晶形態を調製する方法であって、該方法は、
該結晶形態を形成するために適した条件下で一定時間にわたって９−（Ｓ）−エリスロマイシラミン固体を加熱する工程
を包含する、方法。
【請求項２２】
前記９−（Ｓ）−エリスロマイシラミン固体は、アモルファス９−（Ｓ）−エリスロマイシラミンを含む、請求項２１に記載の方法。
【請求項２３】
前記９−（Ｓ）−エリスロマイシラミン固体は、約１００℃〜約２００℃まで加熱される、請求項２１に記載の方法。
【請求項２４】
前記９−（Ｓ）−エリスロマイシラミン固体は、約１０分間〜約３０分間にわたって約１７０℃まで加熱される、請求項２１に記載の方法。
【請求項２５】
前記９−（Ｓ）−エリスロマイシラミン固体は、約５分間〜約２時間にわたって約１７０℃〜約１９０℃まで加熱される、請求項２１に記載の方法。
【請求項２６】
請求項１に記載の結晶形態を調製する方法であって、該方法は、
形態Ａを形成するために適した条件下で一定時間にわたって９−（Ｓ）−エリスロマイシラミン固体を加熱する工程
を包含し、ここで、該９−（Ｓ）−エリスロマイシラミン固体は、形態Ａ以外の９−（Ｓ）−エリスロマイシラミン結晶形態を含む、方法。
【請求項２７】
前記９−（Ｓ）−エリスロマイシラミン固体は、約１００℃〜約２００℃まで加熱される、請求項２６に記載の方法。
【請求項２８】
前記９−（Ｓ）−エリスロマイシラミン固体は、約１０分間〜約３０分間にわたって少なくとも約１６０℃まで加熱される、請求項２６に記載の方法。
【請求項２９】
前記９−（Ｓ）−エリスロマイシラミン固体は、約１０分間〜約３０分間にわたって少なくとも約１７０℃まで加熱される、請求項２６に記載の方法。
【請求項３０】
前記９−（Ｓ）−エリスロマイシラミン固体は、約５分間〜約２時間にわたって約１６０℃〜約２００℃まで加熱される、請求項２６に記載の方法。
【請求項３１】
前記９−（Ｓ）−エリスロマイシラミン固体は、約５分間〜約２時間にわたって約１７０℃〜約１９０℃の温度まで加熱される、請求項２６に記載の方法。
【請求項３２】
請求項１に記載の結晶形態を調製する方法であって、該方法は、
アンチソルベントの添加によって、高温で高沸点溶媒から該結晶形態の沈殿を誘導する工程
を包含する、方法。
【請求項３３】
前記高温が、約８０℃より高く、かつ前記結晶化形態のおよその融点より低い、請求項３２に記載の方法。
【請求項３４】
前記高温が、約８０℃〜約１８０℃である、請求項３２に記載の方法。
【請求項３５】
請求項１に記載の結晶形態を調製する方法であって、該方法は、
高沸点溶媒の蒸発によって、高温で該高沸点溶媒から該結晶形態の沈殿を誘導する工程
を包含する、方法。
【請求項３６】
請求項１に記載の結晶形態を調製する方法であって、該方法は、
高沸点溶媒を冷却することにより、高温で該高沸点溶媒からの形態Ａの沈殿を誘導する工程
を包含する、方法。
【請求項３７】
患者における細菌感染または原虫感染を処置するための組成物であって、該組成物は、
請求項１に記載の結晶形態を含む９−（Ｓ）−エリスロマイシラミン
を含む、組成物。
【請求項３８】
前記細菌感染または原虫感染は、重症慢性気管支炎などの呼吸器感染である、請求項３７に記載の組成物。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
第１の表面および第２の表面を有する熱可塑性ポリマー層、および前記第２の表面に結合する接着剤層を含んでなる抗微生物性物品であって、前記接着剤層が前記ポリマー層の前記第１の表面に移動する抗微生物剤および前記接着剤中に分散した界面活性剤を含んでなる、抗微生物性物品。
【請求項２】
前記接着剤層が、少なくとも０．２５重量％の前記抗微生物剤を含んでなる、請求項１に記載の抗微生物性物品。
【請求項３】
前記熱可塑性ポリマー層が、２５℃で１０×１０-10ｃｍ2／ｓを超える拡散定数を有する、請求項１に記載の物品。
【請求項４】
前記熱可塑性ポリマー層が約０℃未満のＴgを有する、請求項１に記載の物品。
【請求項５】
（ａ）接着剤層中に少なくとも１つの抗微生物剤および少なくとも１つの界面活性剤を分散するステップと、（ｂ）接着剤層を熱可塑性ポリマー層に接着するステップと、を含んでなり、接着剤層がポリマー層に抗微生物剤レザバーを提供する、熱可塑性ポリマー層および接着剤層を含んでなる抗微生物性物品を提供する方法。
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
天然ヒトFcγRIIAの細胞外ドメインと結合するよりも高い親和性で天然ヒトFcγRIIBの細胞外ドメインと特異的に結合するモノクローナル抗体由来のCDRを含むアミノ酸配列を有するヒト化抗体。
【請求項２】
前記抗体がモノクローナル抗体2B6または3H7由来のCDRを含む、請求項１に記載のヒト化抗体。
【請求項３】
前記抗体がモノクローナル抗体1D5、2E1、2H9、2D11、または1F2由来のCDRを含む、請求項１に記載のヒト化抗体。
【請求項４】
前記抗体が重鎖領域と軽鎖領域を有するヒト化可変領域を含み、該重鎖領域が配列番号24または配列番号37のアミノ酸配列を有し、該軽鎖領域が配列番号18、配列番号20、配列番号22、または配列番号46のアミノ酸配列を有する、請求項１に記載のヒト化抗体。
【請求項５】
前記抗体が、配列番号1または配列番号29のアミノ酸配列を有するVH CDR1、配列番号2または配列番号30のアミノ酸配列を有するVH CDR2、および配列番号3または配列番号31のアミノ酸配列を有するVH CDR3を含む、請求項１に記載のヒト化抗体。
【請求項６】
前記抗体が、配列番号8または配列番号38のアミノ酸配列を有するVL CDR1、配列番号9、配列番号10、配列番号11または配列番号39のアミノ酸配列を有するVL CDR2、および配列番号12または配列番号40のアミノ酸配列を有するVL CDR3を含む、請求項１に記載のヒト化抗体。
【請求項７】
変異型CDR領域を含み、変異型CDR領域がVL CDR2中に少なくとも1つのアミノ酸改変を含む、請求項１に記載のヒト化抗体。
【請求項８】
少なくとも1つのアミノ酸改変がチロシンによる50位での置換を含む、請求項７に記載のヒト化抗体。
【請求項９】
少なくとも1つのアミノ酸改変がアラニンによる51位での置換を含む、請求項７に記載のヒト化抗体。
【請求項１０】
前記抗体がフレームワーク領域中にはアミノ酸改変を含まない、請求項１〜９のいずれか１項に記載のヒト化抗体。
【請求項１１】
F(ab')2フラグメントまたはF(ab)フラグメントである、請求項１に記載のヒト化抗体のフラグメント。
【請求項１２】
前記抗体が一本鎖抗体である、請求項１に記載のヒト化抗体。
【請求項１３】
前記抗体が異種ポリペプチドと機能的に連結されている、請求項１に記載のヒト化抗体。
【請求項１４】
前記抗体が治療薬または細胞毒素にコンジュゲートされている、請求項１に記載のヒト化抗体。
【請求項１５】
Ig-FcのFcγRIIBへの結合をブロックする、請求項１に記載のヒト化抗体。
【請求項１６】
前記抗体がリツキシン（Rituxin）よりも効果的に腫瘍増殖を軽減する、請求項１に記載のヒト化抗体。
【請求項１７】
請求項１に記載のヒト化抗体またはそのフラグメントの重鎖もしくは軽鎖をコードするヌクレオチド配列を含んでなる、単離された核酸。
【請求項１８】
異種プロモーターと機能的に連結された第1の核酸、および同一のまたは異なる異種プロモーターと機能的に連結された第2の核酸を含有する宿主細胞であって、第1の核酸と第2の核酸が請求項１に記載のヒト化抗体のそれぞれ重鎖および軽鎖をコードしている、上記宿主細胞。
【請求項１９】
癌抗原を特徴とする癌にかかった患者において癌を治療するための医薬の製造における、請求項１〜９のいずれか１項に記載のヒト化抗体、および該癌抗原と特異的に結合しかつ細胞傷害性である第２抗体の使用。
【請求項２０】
前記癌が乳癌、卵巣癌、前立腺癌、子宮頸癌、または膵臓癌である、請求項19に記載の使用。
【請求項２１】
(i) 治療に有効な量の請求項１〜９のいずれか１項に記載のヒト化抗体、(ii) 癌抗原と特異的に結合する細胞傷害性抗体、および(iii) 製薬上許容される担体、を含有する医薬組成物。
【請求項２２】
患者の自己免疫疾患を治療するための医薬の製造における、請求項１〜９のいずれか１項に記載のヒト化抗体の使用。
【請求項２３】
患者のIgE依存性アレルギー疾患を治療または予防するための医薬の製造における、請求項１〜９のいずれか１項に記載のヒト化抗体の使用。
【請求項２４】
IgE依存性アレルギー疾患が喘息、アレルギー性鼻炎、胃腸のアレルギー、好酸球増加症、結膜炎、または糸球体腎炎である、請求項23に記載の使用。
【請求項２５】
細胞傷害性抗体で治療される被験者において抗体依存性細胞傷害作用を増強するための医薬の製造における、請求項１〜９のいずれか１項に記載のヒト化抗体の使用。
【請求項２６】
被験者の自己免疫疾患を判定するための検査方法であって、
(a) 被験者から得られた生物学的サンプルを、有効量の請求項１〜９のいずれか１項に記載のヒト化抗体と接触させること、
(b) 該抗体の結合を検出すること、
を含んでなり、その際、該検出可能なマーカーがバックグラウンドまたは標準レベルを上回って検出されれば、該被験者が自己免疫疾患にかかっていることを示す、上記方法。
【請求項２７】
被験者においてワクチン組成物に対する免疫応答を高めるための医薬の製造における、請求項１〜９のいずれか１項に記載のヒト化抗体の使用。
【請求項２８】
癌抗原を特徴とする癌にかかった患者において癌を治療するための医薬の製造における、請求項１〜９のいずれか１項に記載のヒト化抗体の使用であって、該医薬はFcγRIIBを発現する癌細胞の集団を減少させるものである、上記使用。
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
それぞれ、配列番号：１〜３、配列番号：４〜６、配列番号：７〜９、配列番号：１０〜１２、配列番号：１３〜１５、または配列番号：１６〜１８を有する単離された免疫グロブリン鎖。
【請求項２】
前記免疫グロブリン鎖は、配列番号：１〜３または配列番号：４〜６を有する、請求項１に記載の免疫グロブリン鎖。
【請求項３】
前記免疫グロブリン鎖は、配列番号：１９、２０、２１、２２、２３、２４、２５、または２６を有する、請求項１に記載の免疫グロブリン鎖。
【請求項４】
免疫グロブリン鎖は、配列番号：２５または２６を有する、請求項３に記載の免疫グロブリン鎖。
【請求項５】
請求項１に記載の第一の免疫グロブリン鎖および請求項１に記載の第二の免疫グロブリン鎖を有し、軽鎖である、前記第一の鎖、および重鎖である、前記第二の鎖は、それぞれ、配列番号：１〜３及び配列番号：４〜６；配列番号：７〜９及び配列番号：１０〜１２；または配列番号：１３〜１５及び配列番号：１６〜１８を含む、単離された抗体。
【請求項６】
前記軽鎖および重鎖は、それぞれ、配列番号：１〜３および配列番号：４〜６を含む、請求項５に記載の抗体。
【請求項７】
前記軽鎖および重鎖は、それぞれ、配列番号：１９及び２０、２１及び２２、２３及び２４、または２５及び２６を含む、請求項５に記載の抗体。
【請求項８】
前記軽鎖および重鎖は、それぞれ、配列番号：２５及び２６を含む、請求項７に記載の抗体。
【請求項９】
活性化Ｔ細胞のＰ−セレクチン糖タンパク質リガンド１に結合すると、活性化Ｔ細胞の死を誘導する、配列番号：１〜３および配列番号：４〜６をそれぞれ含む軽鎖および重鎖を含む、Ｐ−セレクチン糖タンパク質リガンド１とＰ−セレクチンとの結合を妨げることなくＰ−セレクチン糖タンパク質リガンド１に特異的に結合する単離された抗体。
【請求項１０】
前記抗体は、ヒトＰ−セレクチン糖タンパク質リガンド１に結合する、請求項９に記載の抗体。
【請求項１１】
前記軽鎖および重鎖は、それぞれ、配列番号：２５及び２６を含む、請求項１０に記載の抗体。
【請求項１２】
ヒトＰ−セレクチン糖タンパク質リガンド１の１１５〜１２６番目のアミノ酸残基に特異的に結合する単離された抗体。
【請求項１３】
前記抗体は、１１７〜１２３番目のアミノ酸残基に特異的に結合する、請求項１２に記載の抗体。
【請求項１４】
前記抗体は、１１９〜１２１番目のアミノ酸残基に特異的に結合する、請求項１３に記載の抗体。
【請求項１５】
前記抗体は、それぞれ、配列番号：１〜３及び配列番号：４〜６を含む軽鎖及び重鎖を含む、請求項１２に記載の抗体。
【請求項１６】
前記抗体は、活性化Ｔ細胞のＰ−セレクチン糖タンパク質リガンド１に結合すると、活性化Ｔ細胞の死を誘導する、請求項１２に記載の抗体。
【請求項１７】
前記軽鎖及び重鎖は、それぞれ、配列番号：１〜３及び配列番号：４〜６を含む、請求項１６に記載の抗体。
【請求項１８】
活性化Ｔ細胞の死を誘導するための、請求項８に記載の抗体を含む医薬品組成物。
【請求項１９】
活性化Ｔ細胞の死を誘導するための、請求項９に記載の抗体を含む医薬品組成物。
【請求項２０】
活性化Ｔ細胞の死を誘導するための、請求項１２に記載の抗体を含む医薬品組成物。
【請求項２１】
過剰のＴ細胞が仲介する免疫応答に関連する症状を有するまたは前記症状を有する危険性のある患者のＴ細胞が仲介する免疫応答を調節するための、請求項８に記載の抗体を含む医薬品組成物。
【請求項２２】
前記症状は、炎症疾患、自己免疫疾患、アレルギー疾患、またはＴ細胞癌である、請求項２１に記載の医薬品組成物。
【請求項２３】
前記患者は、同種もしくは異種移植を受けたまたは同種もしくは異種移植を受ける予定がある、請求項２２に記載の医薬品組成物。
【請求項２４】
過剰のＴ細胞が仲介する免疫応答に関連する症状を有するまたは前記症状を有する危険性のある患者のＴ細胞が仲介する免疫応答を調節するための、請求項９に記載の抗体を含む医薬品組成物。
【請求項２５】
前記症状は、炎症疾患、自己免疫疾患、アレルギー疾患、またはＴ細胞癌である、請求項２４に記載の医薬品組成物。
【請求項２６】
前記患者は、同種もしくは異種移植を受けたまたは同種もしくは異種移植を受ける予定がある、請求項２５に記載の医薬品組成物。
【請求項２７】
過剰のＴ細胞が仲介する免疫応答に関連する症状を有するまたは前記症状を有する危険性のある患者のＴ細胞が仲介する免疫応答を調節するための、請求項１２に記載の抗体を含む医薬品組成物。
【請求項２８】
前記症状は、炎症疾患、自己免疫疾患、アレルギー疾患、またはＴ細胞癌である、請求項２７に記載の医薬品組成物。
【請求項２９】
前記患者は、同種もしくは異種移植を受けたまたは同種もしくは異種移植を受ける予定がある、請求項２８に記載の医薬品組成物。
【請求項３０】
請求項１に記載の免疫グロブリン鎖をコード化する配列を有する単離された核酸。
【請求項３１】
請求項３に記載の免疫グロブリン鎖をコード化する配列を有する単離された核酸。
【請求項３２】
請求項３０に記載の核酸を有するベクター。
【請求項３３】
請求項３１に記載の核酸を有するベクター。
【請求項３４】
配列番号：１〜３、配列番号：４〜６、配列番号：７〜９、配列番号：１０〜１２、配列番号：１３〜１５、または配列番号：１６〜１８をコード化する核酸を有する宿主細胞。
【請求項３５】
前記細胞は、細菌細胞、酵母細胞、植物細胞、昆虫細胞、または哺乳動物細胞である、請求項３４に記載の宿主細胞。
【請求項３６】
前記哺乳動物細胞は、ハイブリドーマ細胞である、請求項３５に記載の宿主細胞。
【請求項３７】
配列番号：１９、２０、２１、２２、２３、２４、２５、または２６をコード化する核酸を有する宿主細胞。
【請求項３８】
前記細胞は、細菌細胞、酵母細胞、植物細胞、昆虫細胞、または哺乳動物細胞である、請求項３７に記載の宿主細胞。
【請求項３９】
前記哺乳動物細胞は、ハイブリドーマ細胞である、請求項３８に記載の宿主細胞。
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
皮膚から配合物を除去する器具であって、
使用にあたり、前記配合物の除去を行うように前記皮膚上を移動される非剃毛型ヘッドと、
取っ手とを有し、
前記ヘッドに亘って側方に延びる、前記ヘッドを前側部分と後側部分とに効果的に分離させる撓みゾーンを備え、前記前側部分が下面を有し、該下面は、横方向に前記下面から延びる１つ又は２つ以上の実質的に鋭利ではないフィンを有する、
器具。
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
血管動脈瘤を治療するための装置であって、
血管動脈瘤の領域に配置されるように寸法決めされた支持構造体を有し、
前記支持構造体は、血管動脈瘤の少なくともネック領域を横断するブリッジ部分を有し、開いた非管状の弓形の形態をなし、
前記ブリッジ部分は、反応材料を含み、この反応材料は、反応状態にあるときに拡張され、その結果、反応材料が反応状態にあるとき、反応材料が血管動脈瘤への血液の流れを制限する、装置。
【請求項２】
前記開いた非管状の弓形の形態は、湾曲したコイル状ブリッジ形態である、請求項１に記載の装置。
【請求項３】
前記開いた非管状の弓形の形態は、血管動脈瘤の近くの管腔の弓形に実質的に一致する、請求項２に記載の装置。
【請求項４】
前記支持構造体は、正弦波形状の本体部分を含む、請求項１に記載の装置。
【請求項５】
前記正弦波形状の本体部分は、前記支持構造体の両端部の間に配置される、請求項４に記載の装置。
【請求項６】
前記ブリッジ部分は、前記反応材料からなる、請求項１に記載の装置。
【請求項７】
前記反応材料は、前記ブリッジ部分の上に配置される、請求項１に記載の装置。
【請求項８】
前記開いた非管状の弓形の形態は、血管パッチ形態である、請求項１に記載の装置。
【請求項９】
前記血管パッチは、織り合わされた支持部材からなる、請求項８に記載の装置。
【請求項１０】
前記開いた非管状の弓形の形態の弓形は、前記血管動脈瘤の近くの管腔の曲率半径に近似する、請求項８に記載の装置。
【請求項１１】
前記開いた非管状の弓形の形態の弧は、２７０度よりも小さい、請求項８に記載の装置。
【請求項１２】
前記支持構造体は、前記弓形の形態が調節可能であるように可鍛性である、請求項８に記載の装置。
【請求項１３】
前記開いた非管状の弓形の形態は、動脈瘤内ネックブリッジ構造体である請求項１に記載の装置。
【請求項１４】
前記動脈瘤内ネックブリッジ構造体は、動脈瘤の曲率半径に近似するように寸法決めされた少なくとも２つの係合部材を有する、請求項１３に記載の装置。
【請求項１５】
前記ブリッジ部分は、前記少なくとも２つの係合部材の各々の領域に位置する、請求項１４に記載の装置。
【請求項１６】
前記ブリッジ部分は、前記反応材料からなる、請求項１５に記載の装置。
【請求項１７】
前記反応材料は、前記ブリッジ部分の上に配置される、請求項１６に記載の装置。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
眼内レンズの挿入装置であって、管路を備え、眼内レンズを目の中に挿入する際に前記眼内レンズが該管路内を前進しながら通過し、該管路は、前記眼内レンズと接触する内面を有するものであって、
前記管路の前記内面の少なくとも一部は２層被覆膜を有し、
前記被覆膜は、潤滑性のトップコートと、前記トップコートに化学的にグラフト結合されたベースコートとを含み、
前記ベースコートは、前記管路の前記内面に共有結合されることなく接着し、前記ベースコートを前記トップコートにグラフト結合するための反応に関与することが可能な官能基を含むことを特徴とする挿入装置。
【請求項２】
前記トップコートは、潤滑性水溶性の重合体を備えることを特徴とする請求項１に記載の挿入装置。
【請求項３】
前記トップコートを規定する前記重合体は、多糖類、セルロース誘導体、ポリアクリル酸及びその水溶性共重合体、並びにポリエチレングリコールで構成される群から選択されることを特徴とする請求項２に記載の挿入装置。
【請求項４】
前記トップコートは、ヒアルロナンを備えることを特徴とする請求項１に記載の挿入装置。
【請求項５】
前記トップコートは、界面活性剤、架橋剤、可塑剤、溶剤、塩及び平滑剤で構成される群から選択される少なくとも１つの材料を含むことを特徴とする請求項１に記載の挿入装置。
【請求項６】
前記ベースコートは、有機溶剤中に溶解した状態で供給される重合体又は共重合体を備えることを特徴とする請求項１に記載の挿入装置。
【請求項７】
前記ベースコートは、水性コロイド分散液又はエマルション、あるいは非水性分散液として供給される重合体又は共重合体を備えることを特徴とする請求項１に記載の挿入装置。
【請求項８】
前記挿入装置は、ポリプロピレン、アクリル重合体、アクリル共重合体、ナイロン、ポリエステル、酢酸セルロース、アセテート及びブチレートで構成される群から選択された材料から製造されることを特徴とする請求項１に記載の挿入装置。
【請求項９】
眼内レンズの挿入装置であって、
前記眼内レンズを前進させることができる内腔を規定する成形可能材料を備え、
前記内腔は、前記成形可能材料の内面により境界を規定され、
前記内面の少なくとも一部は、２層の被覆膜を有し、
前記被覆膜は、潤滑性のトップコートと前記トップコートに化学的にグラフト結合されたベースコートとを含み、
前記ベースコートは、前記内面に共有結合されることなく接着し、前記ベースコートを前記トップコートにグラフト結合するための反応に関与することが可能な官能基を含むことを特徴とする挿入装置。
【請求項１０】
前記トップコートは、多糖類、セルロース誘導体、ポリアクリル酸及びその水溶性共の重合体、並びにポリエチレングリコールで構成される群から選択された水溶性の重合体を備えることを特徴とする請求項９に記載の挿入装置。
【請求項１１】
前記トップコートは、ヒアルロナンを備えることを特徴とする請求項９に記載の挿入装置。
【請求項１２】
前記トップコートは、界面活性剤、架橋剤、可塑剤、溶剤、塩及び平滑剤で構成される群から選択された少なくとも１つの材料を含むことを特徴とする請求項９に記載の挿入装置。
【請求項１３】
前記ベースコートは、有機溶剤に溶解された状態で供給される重合体又は共重合体を備えることを特徴とする請求項９に記載の挿入装置。
【請求項１４】
前記ベースコートは、水性コロイド分散液又はエマルション、あるいは非水性分散液として供給される重合体又は共重合体を備えることを特徴とする請求項９に記載の挿入装置。
【請求項１５】
前記成形可能材料は、ポリプロピレン、アクリル重合体、アクリル共重合体、ナイロン、ポリエステル、酢酸セルロース、アセテート及びブチレートで構成される群から選択されることを特徴とする請求項９に記載の挿入装置。
【請求項１６】
眼内レンズが内面に沿って前進する管路を含む眼内レンズの挿入装置の潤滑性向上方法であって、
前記内面の少なくとも一部に２層被覆膜を塗布する塗布工程を有し、
前記２層被覆膜は、ベースコート及びトップコートを含み、
前記ベースコートは、前記内面に共有結合されることなく接着し、前記ベースコートを前記トップコートに化学的にグラフト結合させることが可能な官能基を有し、
前記トップコートは潤滑性を有することを特徴とする潤滑性向上方法。
【請求項１７】
前記塗布工程に先立って、前記内面を洗浄する工程が実行されることを特徴とする請求項１６に記載の潤滑性向上方法。
【請求項１８】
前記塗布工程は、多糖類、セルロース誘導体、ポリアクリル酸及びその水溶性共重合体、並びにポリエチレングリコールで構成される群から前記トップコートを選択する工程を含むことを特徴とする請求項１６に記載の潤滑性向上方法。
【請求項１９】
前記塗布工程は、ヒアルロナンであるように前記トップコートを選択する工程を含む請求項１６記載の方法。
【請求項２０】
前記塗布工程は、界面活性剤、架橋剤、可塑剤、溶剤、塩及び平滑剤で構成されるから選択される少なくとも１つの材料を含むように前記トップコートを選択する工程を含むことを特徴とする請求項１６に記載の潤滑性向上方法。
【請求項２１】
前記塗布工程は、有機溶剤に溶解された状態で供給される重合体又は共重合体を含むように前記ベースコートを選択する工程を含むことを特徴とする請求項１６に記載の潤滑性向上方法。
【請求項２２】
前記塗布工程は、水性コロイド分散液又はエマルション、あるいは非水性分散液として供給される重合体又は共重合体を含むように前記ベースコートを選択することを含むことを特徴とする請求項１６に記載の潤滑性向上方法。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
医療用インプラントに用いられる重合性材料を製造する方法であって、
ａ）重合体状材料に電離放射線を照射することにより、架橋された重合体状材料を形成し、
ｂ）前記重合性材料に、拡散により、酸化防止剤を添加することにより、酸化防止剤が添加された、架橋重合性材料を形成し、そして
ｃ）前記酸化防止剤が添加された、架橋重合性材料を、液体環境中においてアニーリングする、
ことを含んでなる、方法。
【請求項２】
医療用インプラントに用いられる重合性材料を製造する方法であって、
ａ）重合性材料に、拡散により、酸化防止剤を添加することにより、酸化防止剤が添加された、重合性材料を形成し、
ｂ）前記酸化防止剤が添加された、重合性材料を、液体環境中においてアニーリングし、そして、
ｃ）前記酸化防止剤が添加された、重合性材料に、電離放射線を照射することにより、酸化防止剤が添加された、架橋重合体状材料を形成する、ことを含んでなる、方法。
【請求項３】
前記インプラントが、寛骨臼ライナー、肩関節窩、膝蓋骨成分、指関節成分、踝関節成分、肘関節成分、手首関節成分、足指関節成分、二極人工股関節、頸骨膝挿入物、補強金属とポリエチレンポストとを備えた頸骨膝挿入物、椎間板、縫合、腱、心臓弁、ステント、血管移植片からなる群から選択される医療機器を含んでなる、請求項１または２に記載の方法。
【請求項４】
前記酸化防止剤がビタミンＥである、請求項１または２に記載の方法。
【請求項５】
前記酸化防止剤がα−トコフェロールである、請求項１または２に記載の方法。
【請求項６】
前記重合体状材料を、別の部品または医療用インプラントに圧縮成形することにより、界面または連結ハイブリッド材料を形成する、請求項１または２に記載の方法。
【請求項７】
前記アニーリングする前の、酸化防止剤の添加が、酸化防止剤−エマルション中または酸化防止剤−溶液中において行われる、請求項１または２に記載の方法。
【請求項８】
前記酸化防止剤が添加された重合体状材料のアニーリングが、水中、酸化防止剤−エマルション中、または、酸化防止剤−溶液中において、室温と、水、前記エマルションの親水性成分、または前記酸化防止剤溶液に使用する溶剤の沸点と、の間の温度で行われる、請求項１または２に記載の方法。
【請求項９】
前記酸化防止剤が添加された重合体状材料のアニーリングが、水中、酸化防止剤−エマルション中、または酸化防止剤−溶液中において、約１分間〜約３０日間行われる、請求項１または２に記載の方法。
【請求項１０】
請求項１または２に記載の重合性材料を機械加工することを含んでなる医療用インプラントの製造方法であって、前記重合性材料が、電離放射線の照射前、酸化防止剤の添加後、または液体環境中でのアニーリング後、機械加工される、請求項１または４１に記載の方法。
【請求項１１】
前記医療用インプラントを包装し、電離放射線またはガス滅菌により滅菌することにより、無菌の架橋医療用インプラントを形成する、請求項１０に記載の方法。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
薬物をステントに負荷する方法であって：
ポリマーで被覆された少なくとも一つのステントをマンドレル上に配置すること；
薬物を注入された鞘を前記ステント上に配置することを含み、
前記鞘から前記ステントのポリマー被覆の中への薬物拡散を可能とする方法。
【請求項２】
前記マンドレルが、その外表面に少なくとも一つの治療剤を有する薬物／ポリマー被覆を含み、また方法が更に、前記治療剤を前記ステントのポリマー被覆の中へと拡散させることを含む、請求項１に記載の方法。
【請求項３】
前記薬物を注入された鞘が、少なくとも一つの治療剤で被覆された表面を有する平坦なポリマーシートを含む、請求項１に記載の方法。
【請求項４】
前記薬物を注入された鞘を前記ステント上に配置することが、前記平坦なポリマーシートを前記ステントの回りに巻回し、少なくとも一つの治療剤を有する前記被覆が前記ポリマーで被覆されたステントに隣接し、且つこれに接触するようにすることを含む、請求項３に記載の方法。
【請求項５】
前記薬物を注入された鞘が内部表面を有するポリマーシリンダを含み、前記内部表面はその上に塗布された薬物／ポリマー被覆を含んでおり、前記薬物／ポリマー被覆は少なくとも一つの治療剤を含んでいる、請求項１に記載の方法。
【請求項６】
前記薬物を注入された鞘を前記ステント上に配置することが、前記マンドレル上に配置されたステントを前記ポリマーシリンダの中に挿入して、前記内部表面が前記ポリマー被覆されたステントに隣接し且つこれに接触するようにすることを含む、請求項５に記載の方法。
【請求項７】
更に、前記鞘で覆われたステントを、予め定められた温度のオーブンの中に配置することを含む、請求項１に記載の方法。
【請求項８】
前記予め定められた温度が約２０℃〜約１００℃の範囲内である、請求項７に記載の方法。
【請求項９】
更に、前記鞘で覆われたステントを加圧チャンバの中に配置すること、及び前記チャンバ内の圧力を増大させることを含み、前記圧力が約０Pa（０気圧）〜約１４．７１MPa（１５０気圧）の範囲内にある、請求項１に記載の方法。
【請求項１０】
薬物をステント（220）に負荷するためのシステム（200）であって、
ポリマーで被覆されたステント（220）と、
保持部材（230）が前記ポリマー被覆されたステント（220）を収容する大きさである、ステント保持部材（230）と、
薬物を注入された鞘（250）とを具備し、前記鞘（250）が、前記ステント保持部材（230）上に配置されたステント（220）の回りに適合するような大きさであるシステム。
【請求項１１】
薬物をステント（220）に負荷するためのシステム（200）であって、
ポリマーベースと共にステント骨格（222）を有するステント（220）と、
前記ステント（220）を収容する大きさであるステント保持部材（230）と、
薬物を注入された鞘（250）とを具備し、前記鞘（250）が、前記ステント保持部材（230）上に配置されたステント（220）の回りに適合するような大きさであるシステム。
【請求項１２】
前記ステント保持部材（230）が外表面（235）上に被覆（240）を有し、該被覆（240）がその中に少なくとも一つの治療剤を含む、請求項１０又は１１に記載のシステム。
【請求項１３】
前記薬物を注入された鞘（250）が、少なくとも一つの治療剤で被覆された表面（255）を有する平坦なポリマーシートを含む、請求項１０又は１１に記載のシステム。
【請求項１４】
前記薬物を注入された鞘（250）が、内部表面（255）を有するポリマーシリンダを含み、前記内部表面（255）は、その上に塗布された薬物／ポリマー被覆（260）を含み、該薬物ポリマー被覆（260）は少なくとも一つの治療剤を含む、請求項１０又は１１に記載のシステム。
【請求項１５】
前記ステントがステント骨格（222）を含む、請求項１０に記載のシステム。
【請求項１６】
前記ステント骨格（222）が、金属ベースまたはポリマーベースの一方を含む、請求項１５に記載のシステム。
【請求項１７】
前記ステント骨格（222）が、ステンレス鋼、ニチノール、タンタル、ＭＰ３５Ｎ合金、白金、チタン、クロム系合金、適切な生体適合性合金、適切な生体適合性材料、生体適合性ポリマー、及びこれらの組合せからなる群から選択される材料を含む、請求項１６に記載のシステム。
【請求項１８】
前記ステント骨格（222）が生体適合性ポリマーを含む、請求項１１に記載のシステム。
【請求項１９】
ポリマーで被覆されたステントに対して薬物を差別的に負荷するための方法であって：
少なくともポリマーで被覆されたステントをマンドレル上に配置すること；
薬物を注入された鞘を前記ステント上に配置することを含み、
従って、前記鞘から前記ステントのポリマー被覆の中へと前記薬物を拡散させ、前記薬物拡散により前記鞘と前記ポリマー被覆との間での前記薬物の平衡を樹立するために必要とされるよりも短い時間の間、前記鞘から前記ステントのポリマー被覆の中へと前記薬物を拡散させて、前記ステントの外側ポリマー層における高濃度の薬物と、前記ステントの内側ポリマー層における低濃度の薬物とを特徴とする薬物濃度勾配の樹立を可能とすることを含む請求項１に記載の方法。